(57)【要約】【課題】表示具を、必要に応じて、様々な態様でダッシュボード上に設置できるようにする。【解決手段】自動車ＭのダッシュボードＭａ上に位置づけられてその自動車Ｍについての価格などの情報をフロントウインドウＭｂの内方から外部に向けて表示する表示具Ａである。表面を表示面１０とすると共に、上辺部１１にルームミラーＭｃ又はサンバイザへの吊り下げに用いる穴部１２を備えた表示板１と、上端部をルームミラーＭｃ又はサンバイザに後方から支持される被支持部２０とすると共に、この被支持部２０を表示板１の上辺部１１よりも上方に移動可能にこの表示板１の裏面１５に備えられたスライドホルダー２とを備えてなる。【選択図】図２
2010008779.tif 000002
【特許請求の範囲】
【請求項１】
自動車のダッシュボード上に位置づけられてその自動車についての価格などの情報をフロントウインドウの内方から外部に向けて表示する表示具であって、
表面を表示面とすると共に、上辺部にルームミラー又はサンバイザへの吊り下げに用いる穴部を備えた表示板と、
上端部をルームミラー又はサンバイザに後方から支持される被支持部とすると共に、この被支持部を表示板の上辺部よりも上方に移動可能にこの表示板の裏面に備えられたスライドホルダーとを備えてなる表示具。
【請求項２】
スタンド上部に表示板の裏面に磁力により吸着される吸着部を備えてこの吸着部により表示板の裏面側に取り外し可能に組み合わされると共に、下部をダッシュボードへの当接部としたスタンドを含んでなることを特徴とする請求項１に記載の表示具。
【請求項３】
Ｓ環の下端側の引っかけ部と、表示板の穴部へのはめ込み部とを備えたクリップを含んでなることを特徴とする請求項１又は請求項２に記載の表示具。
【発明の詳細な説明】
【技術分野】
【０００１】
この発明は、自動車のダッシュボード上に位置づけられてその自動車についての価格などの情報をフロントウインドウの内方から外部に向けて表示する表示具の改良に関する。
【背景技術】
【０００２】
自動車の価格などを表示する表示板と、この表示板の裏面に上下方向にスライド移動可能に備えられた支持枠とからなり、自動車のダッシュボード上に設置される看板として、本出願人が先に開示した特許文献１に示されるものがある。この看板にあっては、上方に引き出した支持枠をルームミラーに前方から接しさせると共に、表示板の下縁部をダッシュボードに接しさせることで、ルームミラーとダッシュボードとの間に表示面をフロントウインドウの側に向けて掛け渡し状にセットされるようになっている。
【０００３】
しかるに、この種の看板が使われる自動車の車種や大きさや、表示板自体の大きさなどの諸条件によっては、看板を前記のようにセットし難い場合もある。
【特許文献１】意匠登録第１０９６４６９号公報
【発明の開示】
【発明が解決しようとする課題】
【０００４】
この発明が解決しようとする主たる問題点は、この種の表示具（看板）を、必要に応じて、様々な態様でダッシュボード上に設置できるようにする点にある。
【課題を解決するための手段】
【０００５】
前記課題を達成するために、この発明にあっては、表示具を、自動車のダッシュボード上に位置づけられてその自動車についての価格などの情報をフロントウインドウの内方から外部に向けて表示する表示具であって、
表面を表示面とすると共に、上辺部にルームミラー又はサンバイザへの吊り下げに用いる穴部を備えた表示板と、
上端部をルームミラー又はサンバイザに後方から支持される被支持部とすると共に、この被支持部を表示板の上辺部よりも上方に移動可能にこの表示板の裏面に備えられたスライドホルダーとを備えてなるものとした。
【０００６】
かかる表示具を、さらに、スタンド上部に表示板の裏面に磁力により吸着される吸着部を備えてこの吸着部により表示板の裏面側に取り外し可能に組み合わされると共に、下部をダッシュボードへの当接部としたスタンドを含んでなるものとしておくこともある。
【０００７】
また、かかる表示具を、さらに、Ｓ環の下端側の引っかけ部と、表示板の穴部へのはめ込み部とを備えたクリップを含んでなるものとしておくこともある。
【０００８】
かかる表示具によれば、必要に応じて、前記穴部を利用して表示板をダッシュボード上に吊り下げるようにしてセットする態様、前記スライドホルダーを利用して表示板をルームミラー又はサンバイザとダッシュボードとの間に掛け渡すようにしてセットする態様、さらには、前記スタンドを含む場合には、このスタンドを利用して表示板をダッシュボード上に立て置くようにしてセットする態様のいずれの態様での利用もなすことができ、自動車の車種や大きさにかかわらず利用することができる。さらに、前記クリップを含む場合には、前記穴部に前記クリップのはめ込み部を入れ込み嵌めつけることでその引っかけ部を利用した吊り下げての表示板のセッティングをＳ環を使ってなすことができる。
【発明の効果】
【０００９】
この発明にかかる表示具は、必要に応じて、様々な態様でダッシュボード上に設置することができ、様々な車種や大きさの自動車の展示販売などに利用することができる。
【発明を実施するための最良の形態】
【００１０】
以下、図１〜図８に基づいて、この発明を実施するための最良の形態について説明する。
【００１１】
なお、ここで図１および図５はスライドホルダー２を利用してこの発明を適用して構成された表示具Ａを自動車ＭのダッシュボードＭａ上に設置させた様子を、図６はスタンド３を利用して表示具Ａを自動車ＭのダッシュボードＭａ上に設置させた様子を、図７および図８はクリップ４を利用して表示具Ａを自動車ＭのダッシュボードＭａ上に設置させるときの状態を、それぞれ示している。特に、図８（ａ）は表示板１の穴部１２にクリップ４を嵌め付ける直前の様子を示している。
【００１２】
また、図２および図３はかかる表示具Ａを構成する各部材を分離させた状態で、図４は表示板１を構成するカバープレート１４の要部を断面にして表している。
【００１３】
この実施の形態にかかる表示具Ａは、自動車ＭのダッシュボードＭａ上に位置づけられてその自動車Ｍについての価格などの情報をフロントウインドウＭｂの内方から外部に向けて表示するものである。（図１）
【００１４】
かかる表示具Ａは、典型的には、販売のために展示される自動車Ｍ内に設置されてこの自動車Ｍについての各種の情報を展示場所を訪れた顧客に知らしめるために用いられる。
【００１５】
この実施の形態にあっては、かかる表示具Ａは、スライドホルダー２を備えた表示板１と、この表示板１をダッシュボードＭａ上に立てるようにして位置づけさせるときに用いるスタンド３と、この表示板１をＳ環５を使ってダッシュボードＭａ上方にルームミラーＭｃを（ダッシュボードＭａ上方において車室内に取り付け、車両の後方を視認するためのミラー／インサイド［リヤビュー］ミラー）、あるいはまたサンバイザを利用して吊り下げ状に位置づけさせるときに用いるクリップ４とを含んで構成されている。
【００１６】
表示板１は、表面を表示面１０とすると共に、上辺部１１にルームミラーＭｃ又はサンバイザへの吊り下げに用いる穴部１２を備えている。
【００１７】
図示の例では、表示板１は、略長方形の板状をなすように構成されている。そして、その長辺部の一方を上辺部１１とするようにして利用される構成となっている。
【００１８】
表示板１は、磁石を吸着させる材料、図示の例では、金属よりなるベースプレート１３と、このベースプレート１３の一面に磁力により取り外し可能に添装されるカバープレート１４とから構成されており、このカバープレート１４の添装側が表示板１の表示面１０となるようにしてある。ベースプレート１３の縁部には緩衝材１８が被装されている。カバープレート１４はベースプレート１３に倣った形状をもってこれより一回り小さく構成され、さらに、透明又は一定量の光を通す材料、図示の例では透明なプラスチック製の板体により構成されている。カバープレート１４の裏面には各辺部に沿って帯状に成形されたシート状磁石１４ａが貼り込まれており、このシート状磁石１４ａによってカバープレート１４はベースプレート１３に前記のように添装されるようになっている。また、カバープレート１４の各辺部は枠状塗装部１４ｂにより縁取られており、この枠状塗装部１４ｂにより前記シート状磁石１４ａは隠されて前方から見えないようになっている。これにより、この例では、前記自動車Ｍの情報を記載などしたシートＳなどをカバープレート１４とベースプレート１３の間に挟み込むようにして表示板１の表示面１０に備えさせることができるようになっており、また、その取り替えも容易になせるようになっている。
【００１９】
穴部１２は、上辺部１１の左右方向中程の位置に形成されている。表示板１は、この穴部１２に紐などを通しこの紐などをルームミラーＭｃの柄Ｍｃ’やサンバイザの支持桿などに結びつけるなどすることで、ダッシュボードＭａ上方にルームミラーＭｃ又はサンバイザを利用して吊り下げてのセッティングが可能となっている。
【００２０】
図示の例では、かかる穴部１２に表示板１の前面側から、頭部４２とこの穴部１２へのはめ込み部４１となる脚部４３とを有する前記クリップ４のこの脚部４３を入れ込み嵌めつけることで、前記吊り下げての表示板１のセッティングができるようになっている。かかるクリップ４はプラスチック製で、頭部４２は穴部１２に入り込まない大きさに形成され、脚部４３は穴部１２への入れ込みを弾性変形しながら許容する構成となっていると共にこの穴部１２に入れ込みきられた位置での弾発によって穴部１２から抜け出さないようにこの穴部１２に掛合する構成となっている。頭部４２には左右方向に開放されたＳ環５の下端５１側の引っかけ部となるループ４２ａ部が形成されており、このループ部４２ａにＳ環５の下端５１側が通され引っかけられている。そして、このＳ環５の上端５０側をルームミラーＭｃの柄Ｍｃ’とミラー部Ｍｃ”との接合箇所に引っかけることで、表示板１の表示面１０をフロントウインドウＭｂ側に向かせた状態での表示板１のダッシュボードＭａ上での安定的な吊り下げができるようになっている。（図８（ｂ））
【００２１】
スライドホルダー２は、上端部をルームミラーＭｃ又はサンバイザに後方から支持される被支持部２０とすると共に、この被支持部２０を表示板１の上辺部１１よりも上方に移動可能にこの表示板１の裏面１５に備えられている。
【００２２】
図示の例では、かかるスライドホルダー２は、表示板１の幅寸法（上下方向の寸法）と略等しい長さを備えた一対の縦向きの棒体２１、２１と、この一対の縦向きの棒体２１、２１の上端間に亘る連接棒体２２とから構成されている。表示板１の裏面１５であってその上辺部１１側の中程には、一面をこの裏面１５に添着させると共に、左右両辺部にそれぞれ前記スライドホルダー２の一対の縦向きの棒体２１、２１をそれぞれ通す上下方向に延びるパイプ状部１６ａを備えた支持プレート１６が備えられている。スライドホルダー２の縦向きの棒体２１は支持プレート１６のパイプ状部１６ａに隙間少なく通されており、スライドホルダー２はその連接棒体２２を表示板１の上辺部１１と略同じ位置に位置づけさせた引き込み位置と、（図３の位置）縦向きの棒体２１の下端に形成された抜け止め部２１ａが支持プレート１６のパイプ状部１６ａの下端に下方から引っかかる最大引き出し位置との間に亘る任意の位置まで上方に引き出すことができるようになっている。そして、この例では、スライドホルダー２を任意の位置まで引き出して前記連接棒体２２をルームミラーＭｃの柄Ｍｃ’の前方に位置づけてこの柄Ｍｃ’に後方から支持されるようにすると共に、表示板１の下辺部１７をダッシュボードＭａ上に載置させることで、表示板１の表示面１０をフロントウインドウＭｂ側に向かせた状態での表示板１のダッシュボードＭａ上での安定的な設置ができるようになっている。（図５）すなわち、この例では、かかるスライドホルダー２の連接棒体２２側が前記被支持部２０として機能するようになっている。
【００２３】
また、この実施の形態にあっては、前記スタンド３は、スタンド３上部に表示板１の裏面１５に磁力により吸着される吸着部３０を備えてこの吸着部３０により表示板１の裏面１５側に取り外し可能に組み合わされると共に、下部をダッシュボードＭａへの当接部３１としている。
【００２４】
図示の例ではかかるスタンド３は、長板状をなす主体部３２と、吸着部３０とを組み合わせてなる。吸着部３０は筒一端を開放させた短寸筒状をなす円形ヨーク３０ａ内にドーナツ状の永久磁石３０ｂを組み込ませて構成されている。この円形ヨーク３０ａの閉塞された筒他端に主体部３２の上端部３２ａが止め付けられており、吸着部３０は円形ヨーク３０ａの筒一端側で表示板１の裏面１５に吸着されるようになっている。主体部３２の上端部３２ａとその余の箇所とは主体部３２の下端部３２ｂ側に向かうに連れて吸着部３０の吸着された表示板１の裏面１５と主体部３２との間の間隔を広げさせる角度を持たせて連接されている。また主体部３２の下端部３２ｂは表示板１の裏面１５から離れる向きに屈曲されてこの屈曲箇所から先が前記当接部３１として機能するようになっている。
【００２５】
これにより、この例にあっては、表示板１の裏面１５に吸着部３０を利用して組み合わされるスタンド３を利用して表示板１の表示面１０をフロントウインドウＭｂ側に向かせた状態での表示板１のダッシュボードＭａ上での安定的な設置ができるようになっている。（図６）また、スライドホルダー２の被支持部２０をルームミラーＭｃ又はサンザイザに支持させ、かつ、スタンド３の当接部３１をダッシュボードＭａに当接させた状態での表示板１の設置をなすこともできるようになっている。
【００２６】
この実施の形態にかかる表示具Ａによれば、必要に応じて、前記穴部１２を利用して表示板１をダッシュボードＭａ上に吊り下げるようにしてセットする態様、前記スライドホルダー２を利用して表示板１をルームミラーＭｃ又はサンバイザとダッシュボードＭａとの間に掛け渡すようにしてセットする態様、さらには、前記スタンド３を利用して表示板１をダッシュボードＭａ上に立て置くようにしてセットする態様のいずれの態様での利用もなすことができ、自動車Ｍの車種や大きさにかかわらず利用できる特長を有している。
【図面の簡単な説明】
【００２７】
【図１】表示具Ａの使用状態を示した斜視構成図
【図２】表示具Ａを構成する各部材の分離斜視構成図
【図３】表示具Ａを構成する各部材の分離斜視構成図（表示板１を裏面１５側から視た状態）
【図４】図２におけるｘ−ｘ線断面構成図
【図５】表示具Ａの使用状態を示した側面構成図
【図６】表示具Ａの使用状態を示した側面構成図
【図７】ベースプレート１３にクリップ４を取り付けた状態を示した正面構成図
【図８】ベースプレート１３とクリップ４とを分離した状態の要部断面構成図（（ａ）図）及び両者を取り付けた状態を示した要部断面構成図（（ｂ）図）
【符号の説明】
【００２８】
Ｍ  自動車
Ｍａ  ダッシュボード
Ｍｂ  フロントウインドウ
Ｍｃ  ルームミラー
１  表示板
１０  表示面
１１  上辺部
１２  穴部
１５  裏面
２  スライドホルダー
２０  被支持部
【図１】
2010008779.tif 000003
【図２】
2010008779.tif 000004
【図３】
2010008779.tif 000005
【図４】
2010008779.tif 000006
【図５】
2010008779.tif 000007
【図６】
2010008779.tif 000008
【図７】
2010008779.tif 000009
【図８】
2010008779.tif 000010